(57)【要約】      （修正有）【課題】傾斜地に取付ける場合でも、傾斜部用の専用パネルを必要とすることがないフェンスを提供する。【解決手段】支柱１間に格子体２が取付けられたフェンスであって、支柱１の側面に相対向して支持部材３がそれぞれ取付けられ、支持部材３は、それぞれ相対する面が開口された断面コ字状の溝部が上下方向に沿って設けられて、前記溝部に格子体２の側端部が挿入されると共に、格子体２の格子空間を通って支持部材３の溝部を前後に貫通する取付ボルトによって、前記側端部が溝部から抜け出さないようにする。【選択図】図１
2013189773.tif 000002
【特許請求の範囲】
【請求項１】
設置面に間隔をおいて立設された支柱間に複数の線材を格子状に配置して形成された格子体が取付けられたフェンスであって、前記支柱側面に相対向して支持部材がそれぞれ取付けられ、前記支持部材は、それぞれ相対する面が開口された断面コ字状の溝部が上下方向に沿って設けられて、前記溝部に前記格子体の側端部が挿入されると共に、格子体の格子空間を通って該支持部材の溝部を前後に貫通する取付ボルトによって、前記側端部が溝部から抜け出さないようになされていることを特徴とするフェンス。
【請求項２】
前記取付ボルトは、中心部に挿通孔が設けられた間隔保持材に挿通されると共に、支持部材の溝部内において、前記間隔保持材と溝部の一方の側壁部との間に、格子体の線材が挟持されていることを特徴とする請求項１に記載のフェンス。
【発明の詳細な説明】
【技術分野】
【０００１】
本発明は、支柱間に複数の線材を格子状に配置して形成された格子体が取付けられたフェンスに関する。
【背景技術】
【０００２】
道路との境界、敷地同士の境界等を仕切る手段として格子体と支柱とを組み合わせてなるフェンスが用いられている。この格子体は、一般には正面視矩形状であり、水平地に設置するのは容易であるが、傾斜地に設置する場合は、傾斜に合わせて格子体の格子形状を平行四辺形状に製作したり、格子体を斜めに傾けて取付けたりする必要がある。しかし、前者は、設置場所の傾斜角度をその都度現地で計測する必要があり、傾斜角度毎に格子体を作成するのは効率的ではない。後者は、格子体を支柱に固定する場合は、支柱と交差する線材の位置は一定ではないため、固定位置の調整が必要となり、また隣接する格子体と重なる箇所が生じることがあるので景観性の低下が懸念される。
【０００３】
例えば、特許文献１には、左右両側に隣在同形のパネルとの重合用フランジを有する縦長立設張設用パネルにおいて、一方の対角線上の上下端となる部分を欠落傾斜縁に形成してなるパネルが提案されている。
【０００４】
また、本出願人も、特許文献２に示すように、支柱間にパネルが取着され、前記支柱側面に相対向して支持部材がそれぞれ取着され、前記支持部材は上下方向に溝部が形成された断面コ字形となされ、この支持部材の溝部内に両端部が挿入されてパネルが取付けられているパネル柵を提案している。
【先行技術文献】
【特許文献】
【０００５】
【特許文献１】実開昭５９−１０９８７０号公報
【特許文献２】特開２００６−１６８２０号公報
【発明の概要】
【発明が解決しようとする課題】
【０００６】
しかしながら、特許文献１に記載のパネルにおいては、傾斜が右下がりか、左下がりかによって、欠落傾斜縁の位置が異なる２種類のパネルが必要となり、効率的に利用できないものであった。また、ある傾斜角度から別の傾斜角度に変わる傾斜変化部においては、各傾斜角度の設置長さとパネルの長さとの関係によっては、重合用フランジの重合幅を超える場合や、逆に重合用フランジが重合せずに隙間が生じる場合があり、パネルの一部を切除したり、別に端尺パネルを用意したりする必要があって煩わしいものであった。
【０００７】
本発明は、前記の如き問題点を解消し、傾斜地に取付ける場合でも、傾斜部用の専用パネルを必要とすることがないフェンスを提供するものである。
【課題を解決するための手段】
【０００８】
上記目的を達成するために、本発明は次のような構成としている。
すなわちこの発明に係るフェンスは、設置面に間隔をおいて立設された支柱間に複数の線材を格子状に配置して形成された格子体が取付けられたフェンスであって、前記支柱側面に相対向して支持部材がそれぞれ取付けられ、前記支持部材は、それぞれ相対する面が開口された断面コ字状の溝部が上下方向に沿って設けられて、前記溝部に前記格子体の側端部が挿入されると共に、格子体の格子空間を通って該支持部材の溝部を前後に貫通する取付ボルトによって、前記側端部が溝部から抜け出さないようになされていることを特徴とするものである。
【０００９】
本発明に係るフェンスにおいて、前記取付ボルトは、中心部に挿通孔が設けられた間隔保持材に挿通されると共に、支持部材の溝部内において、前記間隔保持材と溝部の一方の側壁部との間に、格子体の線材が挟持されるように構成してもよい。
【発明の効果】
【００１０】
本発明に係る格子体によれば、前記支柱側面に相対向して支持部材がそれぞれ取付けられ、前記支持部材は、それぞれ相対する面が開口された断面コ字状の溝部が上下方向に沿って設けられて、前記溝部に前記格子体の側端部が挿入されると共に、格子体の格子空間を通って該支持部材の溝部を前後に貫通する取付ボルトによって、前記側端部が溝部から抜け出さないようになされているので、設置部の傾斜角度や設置長さに応じて、前記取付ボルトが貫通する格子体の格子空間を選択して、格子体を支柱間に取付けることができる。
【００１１】
また前記取付ボルトは、中心部に挿通孔が設けられた間隔保持材に挿通されると共に、支持部材の溝部内において、前記間隔保持材と溝部の一方の側壁部との間に、格子体の線材が挟持されるように構成とすれば、格子体を上下に複数段配置する場合においては、上下に隣接する格子体に対して、一方の格子体については、前記間隔保持材を該格子体の前方側に配置し、もう一方の格子体については、その後方側に配置することによって、前記上下に隣接する格子体の境界部に正面視において重合部が生じても、両格子体同士は接触せずに前後に配置することができるので、重合を気にせずに、格子体を傾斜させることができる。
【図面の簡単な説明】
【００１２】
【図１】本発明に係るフェンスの実施の一形態を示す正面図である。
【図２】図１の背面図である。
【図３】図２の支柱付近の拡大背面図である。
【図４】図３のＡ−Ａ断面における、支柱付近を示す拡大断面図である。
【図５】図３のＢ−Ｂ断面における、支持部材付近を示す拡大断面図である。
【図６】図３のＣ−Ｃ断面における、支持部材付近を示す拡大断面図である。
【図７】図１のＤ−Ｄ断面における拡大断面図である。
【発明を実施するための形態】
【００１３】
次に、本発明を実施するための最良の形態について図面を参照し、具体的に説明する。
【００１４】
図面において、１は支柱、２は支柱１に支持される格子体、３は支柱１に取付けられて、格子体２の側端部を保持する支持部材であり、本発明に係るフェンスＰは、これら支柱１、格子体２、支持部材３から主に構成されている。
【００１５】
図１−２は、本発明に係るフェンスＰの実施形態を示す説明図であり、図１は正面図、図２は図１の背面図、図３は図２において支柱１付近の拡大背面図である。支柱１は、一般には強度的に安定しておりコストの安い丸パイプ状の鋼管が用いられているが、角パイプ状の鋼管でもよく、断面Ｈ字状、Ｔ字状、ハット型の鋼材等からなる支柱でもよい。又ステンレス合金やアルミニウム合金等の他の金属から形成されたものでもよい。かかる支柱１は、上端にキャップ１１が被されて取付けられると共に、設置面に対して間隔をおいて複数立設されている。
【００１６】
格子体２は、一般には縦線材２１と横線材２２とが格子状に配置され、縦線材２１と横線材２２とがそれぞれ交差部２３で溶接によって接合されて格子状に形成されたものである。該格子体２は、設置面の起伏に沿って配置されており、具体的には、格子体２の横線材２２が設置面と略平行となるように、起伏が平坦な箇所では横線材２２が水平になるように配置され、設置面が傾斜している箇所では横線材がその傾斜に沿って斜めに配置されている。縦線材２１及び横線材２２は、一般には強度的に安定しており比較的安価な丸鋼線に耐食性を高めるための亜鉛めっきが施されたものが用いられるが、ステンレス合金やアルミニウム合金からなる線材を用いてもよい。
【００１７】
支持部材３は、図４に示すように、前壁３１と後壁３２との間に溝部３３が形成された断面コ字状であって、前記溝部３３が相対向するように、隣合う支柱１の側部に取付けられている。そして格子体２の両側端部２４が溝部３３の前壁３１と後壁３２との間に挿入されている。
【００１８】
次に、支柱１に対する支持部材３の取付構造について、図３−４を参照して具体的に説明する。支持部材３は、取付金具４によって支柱１に接続されており、該取付金具４は、本形態では、支柱１の背面側においてその外周面に沿って取付けられる断面円弧状の支柱取付部４１と、この支柱取付部４１の側端部から側方に向けて設けられた縦板状の接続部４２とを備えた断面ハット状に形成されている。
【００１９】
取付金具４の支柱取付部４１には、前後に貫通する取付孔４３が設けられ、そして前記取付孔４３と支柱１に設けられた二個の取付孔１２を前後方向に貫通する取付ボルトＢ１に、ワッシャＷ１、スプリングワッシャＳ１を介してナットＮ１が締結されることによって、支柱１の背面側に取付金具４が固定される。
【００２０】
取付金具４の接続部４２には、前後に貫通する貫通孔４４が設けられている。そして前記貫通孔４４と支持部材３の溝部３３を形成する前壁３１と後壁３２にそれぞれ設けられた取付孔３４、取付孔３５を前後に貫通する取付ボルトＢ２に、ワッシャＷ２、スプリングワッシャＳ２を介してナットＮ２が締結されて、支持部材３が取付金具４に固定される。これにより、支持部材３が取付金具４を介して支柱１に取付けられる。
【００２１】
支柱１に対する支持部材３の取付構造は本形態に限られるものではなく、例えば、図示しないが、取付金具４を支柱１の前後に配置し、このニ個の取付金具４の間に支持部材３を挟持する形態でもよい。また支柱１に固定する取付金具４は、支柱１の上中下段にそれぞれ固定されているが、フェンスＰの高さ等や、支持部材３で支持する格子体２の重量等に応じて、取付金具４を強固に固定できれば、支柱１に固定する取付金具４の数は本実施形態に限定されるものではない。
【００２２】
次に、支持部材３に対する格子体２の支持構造について、図５−７を参照して具体的に説明する。支持部材３の前壁３１及び後壁３２には、前記取付孔３４、取付孔３５とは重ならない側方の位置に、貫通孔３６、貫通孔３７が設けられている。格子体２の側端部２４は、前記溝部３３の前壁３１と後壁３２との間に挿入され、格子体２における一つの格子２ａが正面視において貫通孔３６及び貫通孔３７と重合する位置に配置されており、そして貫通孔３６及び貫通孔３７を通り、かつ格子２ａ内の格子空間を前後に貫通する固定ボルトＢ３に、ワッシャＷ３、スプリングワッシャＷ３を介してナットＮ３で締結されている。これによって、固定ボルトＢ３に格子２ａが係止されて、支持部材３の溝部３３内から格子体２の側端部２４が抜け出さないように支持される。本形態では、前壁３１及び後壁３２に設けられた貫通孔３６、貫通孔３７は、取付孔３４、取付孔３５よりも、水平方向の位置をずらして支柱１から離れた側端側に形成されており、溝部３３内で格子体２を支持する際に、格子体２と、取付孔３４及び取付孔３５を貫通する固定ボルトＢ１とが接触することによる不必要な干渉が起こりにくくなるので好ましい。
【００２３】
支持部材３の溝部３３内において、本形態では、前壁３１と後壁３２との間隔より幅狭である間隔保持材５が配置されており、前記間隔保持材５と前壁３１との間に格子体２の格子２ａが挿入され、ナットＮ３を締結することによって、格子２ａを構成する一個の交差部２３が前壁３１と間隔保持材５の前部との間に挟持されている。これにより、支持部材３の溝部３３内に格子体２を強固に固定することができる。また、間隔保持材５は、本形態では、固定ボルトＢ３が貫通する貫通孔が設けられた断面リング状に形成されており、固定ボルトＢ３から外れないので好ましいが、例えば、図示しないが、間隔保持材５の外周面から内部に向けて挿入可能な切欠溝を設けて、固定ボルトＢ３を貫通孔３６、格子２ａ及び貫通孔３７に貫通させた後から、固定ボルトＢ３を前記切欠溝内に挿入して該固定ボルトＢ３に間隔保持材５を取付けた形態でもよい。
【００２４】
平坦部及び傾斜部にフェンスＰを設置する場合、図１に示すように、格子体２を上下方向に三段配置した場合は、平坦部では、上下の格子体３間の隙間を保持して配置することができても、傾斜部では、上下に隣合う格子体３間の隙間がなくなって、正面視において格子体の上下端部の一部が重合するおそれがある。この場合は、本形態のように、支持部材３の溝部３３において、前壁３１と後壁３２との間隔を、格子体２の厚さＴの２倍以上としておけば、上下の格子体２において、例えば、上方の格子体２を固定するための間隔保持材５を前壁３１側に配置し、下方の格子体２を固定するための間隔保持材５を後壁３２側側に配置することによって、図７に示すように、上方格子体２が前側に配置され、下方の格子体２が後側に配置されるため、上下の格子体２同士が直接接触せずに取付けることができる。
【００２５】
格子体２は、本形態のように、最上段に配置される格子体２の上部に胴縁部２５を設けることによって、格子体２の上方からかかる荷重に対する強度を高めることができる。また、最上段以外の格子体２には、上方からの荷重は直接かからないので、胴縁部２５は必ずしも必要はなく、上下に配置された格子体２同士の不必要な干渉や接触を避けることができる。
【産業上の利用可能性】
【００２６】
本発明に係る格子体２は、傾斜地に取付けた場合でも、傾斜部用の専用パネルを必要とすることがないので、本発明に係るフェンスＰのみでなく、例えば、山間部の耕作地の周囲に設置されて動物の侵入を防止するための獣害防止柵や、傾斜地や道路・歩道等の通路に沿って植栽された植物の支柱や生長支持材としても好適に利用することができる。
【符号の説明】
【００２７】
１    支柱
１１  キャップ
１２  取付孔
２    格子体
２ａ  格子
２１  縦線材
２２  横線材
２３  交差部
２４  側端部
２５  胴縁部
３    支持部材
３１  前壁
３２  後壁
３３  溝部
３４、３５  取付孔
３６、３７  貫通孔
４    取付金具
４１  支柱取付部
４２  接続部
４３  取付孔
４４  貫通孔
５    間隔保持材
Ｂ１、Ｂ２  取付ボルト
Ｂ３  固定ボルト
Ｎ１、Ｎ２、Ｎ３  ナット
Ｓ１、Ｓ２、Ｓ３  スプリングワッシャ
Ｗ１、Ｗ２、Ｗ３  ワッシャ
【図１】
2013189773.tif 000003
【図２】
2013189773.tif 000004
【図３】
2013189773.tif 000005
【図４】
2013189773.tif 000006
【図５】
2013189773.tif 000007
【図６】
2013189773.tif 000008
【図７】
2013189773.tif 000009